(57)【要約】 【課題】  発信元を確認した後、通話の開始指示によって発信元の機器に応じた最適な通話動作で、音情報、画像情報、または音情報および画像情報を送受信する通話を行うことができる複合電話装置を提供する。【解決手段】  親機１０は、着信があると、発信元の通信機器の種類を判別するとともに、発信元の識別情報を取得し、判別した通信機器の種類を表す機器情報および取得した識別情報を子機２０に送信する。子機２０は、親機１０から受信した識別情報を表示し、通話ボタン２７ａ、お断りボタン２７ｂ、あるいは居留守ボタン２７ｃが押下されることを監視する。通話ボタン２７ａが押下されると、発信元の通信機器の種類に対応する基本モード、お断りボタン２７ｂが押下されると、発信元の通信機器の種類に対応するお断りモード、あるいは居留守ボタン２７ｃが押下されると、発信元の通信機器の種類に対応する居留守モードの通話動作を行う。【選択図】      図１
2007173988.tif 000002
【特許請求の範囲】
【請求項１】
音情報、画像情報、または音情報および画像情報を送受信する複数の種類の通信機器と通信する第１の通信手段、子機と通信する第２の通信手段、ならびに第１の通信手段が着信を検出すると、発信元の通信機器の種類を判別するとともに、第１の通信手段によって発信元を識別するための識別情報を取得し、判別した発信元の通信機器の種類を示す機器情報および取得した識別情報を、第２の通信手段によって子機に送信する親制御手段を含む親機と、
親機と通信する第３の通信手段、識別情報を表示するための表示手段、発信元の通信機器との親機を介した通話の開始を指示する指示手段、ならびに第３の通信手段が機器情報および識別情報を受信すると、受信した識別情報を表示手段に表示し、さらに指示手段によって通話の開始が指示されると、予め定める通話動作のうち、第３の通信手段によって受信した機器情報が示す発信元の通信機器の種類に対応する通話動作を制御する子制御手段を含む子機とを含むことを特徴とする複合電話装置。
【請求項２】
音情報、画像情報、または音情報および画像情報を送受信する複数の種類の通信機器と通信する第１の通信手段、子機と通信する第２の通信手段、ならびに第１の通信手段が着信を検出すると、発信元の通信機器を判別するための参考情報を生成して第２の通信手段によって子機に送信する親制御手段を含む親機と、
親機と通信する第３の通信手段、発信元を識別するための識別情報を表示するための表示手段、発信元の通信機器との親機を介した通話の開始を指示する指示手段、ならびに第３の通信手段が参考情報を受信すると、参考情報を基に発信元の通信機器の種類を判別するとともに、第３の通信手段によって親機を介して識別情報を取得し、取得した識別情報を表示手段に表示し、さらに指示手段によって通話の開始が指示されると、予め定める通話動作のうち、判別した発信元の通信機器の種類に対応する通話動作を制御する子制御手段を含む子機とを含むことを特徴とする複合電話装置。
【請求項３】
前記指示手段は、通話の開始を指示するための操作ボタンであり、操作ボタンが押下されると、通話の開始を指示することを特徴とする請求項１または２に記載の複合電話装置。
【請求項４】
前記子機を接続可能であって、子機が接続されたときに子機への充電を行う充電手段をさらに含み、
前記指示手段は、充電手段との接続が切断されたことを検出する切断検出手段であり、充電手段との接続が切断されたことを検出すると、通話の開始を指示することを特徴とする請求項１または２に記載の複合電話装置。
【請求項５】
前記子機は、人が手に持って通話するための手持ち通話手段、および人が手に持たないで通話するためのハンズフリー通話手段をさらに含み、
前記予め定める通話動作は、手持ち通話手段による通話を行う通話動作、およびハンズフリー通話手段による通話を行う通話動作を含むことを特徴とする請求項１〜４のいずれか１つに記載の複合電話装置。
【請求項６】
前記操作ボタンは、通話を行なうための基本モードの通話動作での通話の開始を指示する通話ボタン、通話を拒否するためのお断りモードの通話動作での通話の開始を指示するお断りボタン、および留守であるかのように見せかけるための居留守モードの通話動作での通話の開始を指示する居留守ボタンを含み、
前記子機は、通話ボタンによって指示された基本モード、お断りボタンによって指示されたお断りモード、または居留守ボタンによって指示された居留守モードの通話動作であって、かつ前記判別された発信元の通信機器の種類に対応する通話動作を行うことを特徴とする請求項３に記載の複合電話装置。
【請求項７】
前記子機は、人が手に持って通話するための手持ち通話手段、および人が手に持たないで通話するためのハンズフリー通話手段をさらに含み、
前記基本モードの通話動作は、手持ち通話手段による通話を行う通話動作、およびハンズフリー通話手段による通話と受信した画像情報の表示手段による表示とを行う通話動作を含むことを特徴とする請求項６に記載の複合電話装置。
【請求項８】
前記子機は、音を録音するための録音手段をさらに含み、
前記お断りモードの通話動作は、通話をお断りするためのお断りメッセージの送信を行う通話動作、お断りメッセージの送信と受信した画像情報の表示手段による表示とを行う通話動作、ハンズフリー通話手段による受話と受信した画像情報の表示手段による表示とを行う通話動作、ハンズフリー通話手段による受話を行う通話動作、および通話を終了する終話を行う通話動作のうちの少なくとも１つを含むことを特徴とする請求項７に記載の複合電話装置。
【請求項９】
前記居留守モードの通話動作は、留守録を促すための留守録メッセージの送信と受信した音情報の録音手段による録音とを行う通話動作、留守録メッセージの送信と受信した画像情報の表示手段による表示と受信した音情報の録音手段による録音とを行う通話動作、ハンズフリー通話手段による受話と受信した画像情報の表示手段による表示とを行う通話動作、ハンズフリー通話手段による受話を行う通話動作、および通話を終了する終話を行う通話動作のうちの少なくとも１つを含むことを特徴とする請求項７または８に記載の複合電話装置。
【請求項１０】
前記識別情報は、発信元の電話番号を表す情報、発信元のドアホンのドアホン番号を表す情報、および通信機器で撮影された画像を表す情報のうちの少なくともいずれか１つの情報を含むことを特徴とする請求項１〜９のいずれか１つに記載の複合電話装置。
【請求項１１】
前記複数の種類の通信機器は、外線の電話機、内線の電話機、外線のテレビ付き電話機、内線のテレビ付き電話機、ＴＶドアホン、音声ドアホン、ならびにセンサカメラのうちの少なくともいずれか１つを含むことを特徴とする請求項１〜１０のいずれか１つに記載の複合電話装置。
【請求項１２】
音情報、画像情報、または音情報および画像情報を送受信する複数の種類の通信機器と通信する通信手段と、
発信元を識別するための識別情報を表示するための表示手段と、
発信元の通信機器との通話の開始を指示する指示手段と、
通信手段が着信を検出すると、発信元の通信機器の種類を判別するとともに、通信手段によって識別情報を取得し、取得した識別情報を表示手段に表示し、さらに指示手段によって通話の開始が指示されると、予め定める通話動作のうち、判別した発信元の通信機器の種類に対応する通話動作を制御する制御手段とを含むことを特徴とする複合電話装置。
【発明の詳細な説明】
【技術分野】
【０００１】
本発明は、音情報、画像情報、または音情報および画像情報を送受信することができる複合電話装置に関する。
【背景技術】
【０００２】
最近、不審者の訪問および迷惑電話などが社会問題となっており、電話、ＴＶドアホン、あるいはカメラなどの機能を有する電話装置において、これらの問題に対応する機能を有する電話装置がある。さらに、手がふさがっているために受話器を取ることができない状況でも通話することができるように、あるいは発信元の機器の種類によって受話器を取らないで通話することができるようにハンズフリー機能を有する電話装置がある。
【０００３】
たとえば、第１の従来の技術として、居留守機能を有する電話装置がある。この電話装置は、着呼に対して一定時間応答しないと、子機毎に設けられたメールボックスに用件メッセージを録音する親機が、録音中のメールボックスに対応する子機にのみ録音中であることを通知する。録音中であることを通知された子機だけが、用件メッセージの録音中であることを認識することができ、居留守ボタンを操作するだけで録音中の用件メッセージを聴取することができる。他の子機で用件メッセージを聴取されることがなくなり、プライバシーを十分に守れるようにしたものである（たとえば特許文献１参照）。
【０００４】
第２の従来の技術として、外出モードであっても特定の人からの通話の場合は報知音を鳴動させることができる遠隔制御装置がある。この遠隔制御装置は、外出モードのときの呼び出し信号に対して、留守メッセージを送出した後、予め設定されている暗証番号に一致する暗証番号の信号を受信すると、報知音を鳴動させる。暗証番号を知っている家族などが、居留守などで宅内にいる人へ緊急に通報することができるようにしたものである（たとえば特許文献２参照）。
【０００５】
第３の従来の技術として、映像を送信することができるテレビ電話機能付き電話機がある。このテレビ電話機能付き電話機は、テレビ電話用のオフクックキーと音声電話用のオフクックキーを有し、テレビ電話用のオフクックキーが操作されると、カメラ部で撮影された映像を伝送し、音声電話用のオフクックキーが操作されると、映像の伝送を停止あるいは記憶部に記憶されている映像を伝送する。カメラで撮影した生の映像を伝送したくない場合には、音声のみを伝送あるいは代わりの映像を伝送することができる。さらに、通話状態において、オフクックキーの操作たとえばオフクックキーの長押しによって、レシーバ通話とハンズフリーでのスピーカ通話との切り換え、あるいは伝送する映像の切り換えが可能である（たとえば特許文献３参照）。
【０００６】
第４の従来の技術として、音声によって着信時の処理モードを切り換えることができる電話装置がある。この電話装置は、ハンズフリーモードだけでなく、保留モードおよび留守番モードを、着信時に発声された音声または音圧によって選択することができる（たとえば特許文献４参照）。
【０００７】
第５の従来の技術として、１回の操作でハンズフリー通話を行うことができる移動体電話機がある。この移動体電話機は、着信時に、側面部に設けられたベストボイスキーが操作されると、ハンズフリー通話を開始する。ベストボイスキーが移動体電話機の側面部に設けられているので、折り畳み式またはスライド式のケースが閉じられた状態でも、ハンズフリー通話を行うことができる（たとえば特許文献５参照）。
【０００８】
第６の従来の技術として、発信元の電話機の種類によって、ハンズフリーにする電話機がある。この電話機は、着信信号の断続期間が予め記憶している断続期間に一致するか否かによって、発信元の電話機の種類たとえば外線か内線かを判別し、記憶している断続期間に一致する種類の電話機のときにハンズフリーにするものである。たとえば内線の着信信号の断続期間を予め記憶しておけば、内線の着信があると自動的にハンズフリーにすることができる（たとえば特許文献６参照）。
【０００９】
第７の従来の技術として、ハンズフリーでドアホン通話を行うことができるインターホン装置がある。このインターホン装置は、ハンズフリー通話部を有する本体装置と、本体装置に接続されたドアホンおよび電話機とから構成され、本体装置は、電話回線と電話機とを接続、またはドアホンと電話機とを接続することができ、さらにドアホン呼び出し時には、ハンズフリー通話部とドアホンとを接続し、外線着信時には、ハンズフリー通話部と電話回線とを接続することができる。すなわち電話機の受話器などを持たずに、ダイニングあるいはキッチンに設置される本体装置によってハンズフリーで通話することができるようにしたものである（たとえば特許文献７参照）。
【００１０】
第３の従来の技術〜第７の従来の技術は、ハンズフリーでの通話を可能にしたものではあるが、発信元を確認した後の通話の開始指示によって、発信元の機器の種類に応じて、ハンズフリーでの通話を自動的に選択するものではない。
【００１１】
【特許文献１】特開２００１−１７７６３７号公報
【特許文献２】特開昭６２−１８０６５４号公報
【特許文献３】特開２００３−９１０４号公報
【特許文献４】特開２００４−７７９２号公報
【特許文献５】特開２００３−１９８７１１号公報
【特許文献６】特開平１０−２１５３０８号公報
【特許文献７】特開平６−２３７３０６号公報
【発明の開示】
【発明が解決しようとする課題】
【００１２】
第１の従来の技術は、着呼に対して一定時間応答しないと自動的にメールボックスに用件メッセージを録音し、録音中に居留守ボタンを操作することによって、用件メッセージを聴取することができるようにしたものである。第２の従来の技術は、居留守を使って外出モードにされていても、暗証番号を知っている家族などには、報知音の鳴動を可能にしたものである。しかしながら、いずれの技術も、通話動作、たとえば受話器での通話動作あるいはハンズフリーでの通話動作を、通話の開始指示によって切り換えるものではない。
【００１３】
ハンズフリーでの通話動作を可能としたものに、オフクックキーの操作たとえばオフクックキーの長押しによって、ハンズフリーでのスピーカ通話を可能にした第３の従来の技術、着信時に発声された音声または音圧によって、ハンズフリーモードにする第４の従来の技術、移動体電話機の側面部に設けられたベストボイスキーを操作することによって、ハンズフリー通話を行うことができるようにした第５の従来の技術、およびハンズフリーでドアホンあるいは電話回線による通話を可能にした第７の従来の技術がある。しかしながら、いずれの技術も、発信元の機器の種類に応じて、ハンズフリーモードでの通話動作を自動的選択するものでない。
【００１４】
さらに、第６の従来の技術は、発信元の電話機の種類を識別して、ハンズフリーモードにするものであるが、通話を開始する前に発信元が誰であるかを識別することができないという問題があり、着信時にうっかり応答すると、発信者側に受信者の行動を知られてしまうことがある。
【００１５】
本発明の目的は、発信元を確認した後、通話の開始指示によって発信元の機器に応じた最適な通話動作で、音情報、画像情報、または音情報および画像情報を送受信する通話を行うことができる複合電話装置を提供することである。
【課題を解決するための手段】
【００１６】
本発明は、音情報、画像情報、または音情報および画像情報を送受信する複数の種類の通信機器と通信する第１の通信手段、子機と通信する第２の通信手段、ならびに第１の通信手段が着信を検出すると、発信元の通信機器の種類を判別するとともに、第１の通信手段によって発信元を識別するための識別情報を取得し、判別した発信元の通信機器の種類を示す機器情報および取得した識別情報を、第２の通信手段によって子機に送信する親制御手段を含む親機と、
親機と通信する第３の通信手段、識別情報を表示するための表示手段、発信元の通信機器との親機を介した通話の開始を指示する指示手段、ならびに第３の通信手段が機器情報および識別情報を受信すると、受信した識別情報を表示手段に表示し、さらに指示手段によって通話の開始が指示されると、予め定める通話動作のうち、第３の通信手段によって受信した機器情報が示す発信元の通信機器の種類に対応する通話動作を制御する子制御手段を含む子機とを含むことを特徴とする複合電話装置である。
【００１７】
本発明に従えば、まず、親機では、第１の通信手段によって、音情報、画像情報、または音情報および画像情報を送受信する複数の種類の通信機器と通信が行われ、第２の通信手段によって、子機と通信が行われ、親制御手段によって、第１の通信手段によって着信が検出されると、発信元の通信機器の種類が判別されるとともに、第１の通信手段によって発信元を識別するための識別情報が取得され、判別された発信元の通信機器の種類を示す機器情報および取得された識別情報が、第２の通信手段によって子機に送信される。
【００１８】
次に、子機では、第３の通信手段によって、親機と通信が行われ、表示手段によって、識別情報が表示され、指示手段によって、発信元の通信機器との親機を介した通話の開始が指示され、子制御手段によって、第３の通信手段によって機器情報および識別情報が受信されると、受信された識別情報が表示手段に表示され、さらに指示手段によって通話の開始が指示されると、予め定める通話動作のうち、第３の通信手段によって受信された機器情報が示す発信元の通信機器の種類に対応する通話動作が制御される。
【００１９】
このように、親機は、着信を検出すると、発信元の通信機器の種類を判別するとともに、発信元の識別情報を取得し、判別した通信機器の種類を表す機器情報および取得した識別情報を子機に送信し、子機は、受信した識別情報を表示手段に表示し、さらに指示手段によって通話の開始が指示されると、予め定める通話動作のうちで、受信した機器情報が示す通信機器の種類に対応する通話動作を行うので、発信元を確認した後、通話の開始指示によって発信元の機器に応じた最適な通話動作で、音情報、画像情報、または音情報および画像情報を送受信する通話を行うことができる。
【００２０】
また本発明は、音情報、画像情報、または音情報および画像情報を送受信する複数の種類の通信機器と通信する第１の通信手段、子機と通信する第２の通信手段、ならびに第１の通信手段が着信を検出すると、発信元の通信機器を判別するための参考情報を生成して第２の通信手段によって子機に送信する親制御手段を含む親機と、
親機と通信する第３の通信手段、発信元を識別するための識別情報を表示するための表示手段、発信元の通信機器との親機を介した通話の開始を指示する指示手段、ならびに第３の通信手段が参考情報を受信すると、参考情報を基に発信元の通信機器の種類を判別するとともに、第３の通信手段によって親機を介して識別情報を取得し、取得した識別情報を表示手段に表示し、さらに指示手段によって通話の開始が指示されると、予め定める通話動作のうち、判別した発信元の通信機器の種類に対応する通話動作を制御する子制御手段を含む子機とを含むことを特徴とする複合電話装置である。
【００２１】
本発明に従えば、まず、親機では、第１の通信手段によって、音情報、画像情報、または音情報および画像情報を送受信する複数の種類の通信機器と通信が行われ、第２の通信手段によって、子機と通信が行われ、親制御手段によって、第１の通信手段によって着信が検出されると、発信元の通信機器を判別するための参考情報が生成されて第２の通信手段によって子機に送信される。
【００２２】
次に、子機では、第３の通信手段によって、親機と通信が行われ、表示手段によって、発信元を識別するための識別情報が表示され、指示手段によって、親機を介した発信元の通信機器との通話の開始が指示され、子制御手段によって、第３の通信手段によって参考情報が受信されると、参考情報を基に発信元の通信機器の種類が判別されるとともに、第３の通信手段によって親機を介して識別情報が取得され、取得された識別情報が表示手段に表示され、さらに指示手段によって通話の開始が指示されると、予め定める通話動作のうち、判別された発信元の通信機器の種類に対応する通話動作が制御される。
【００２３】
このように、親機は、着信を検出すると、通信機器の種類を判別するための参考情報を子機に送信し、子機は、親機から参考情報を受信すると、受信した参考情報を基に発信元の通信機器の種類を判別するとともに、発信元の識別情報を取得し、取得した識別情報を表示手段に表示し、さらに指示手段によって通話の開始が指示されると、予め定める通話動作のうちで、判別した発信元の通信機器の種類に対応する通話動作を行うので、子機によって発信元を確認した後、通話の開始指示によって発信元の機器に応じた最適な通話動作で、音情報、画像情報、または音情報および画像情報を送受信する通話を行うことができる。
【００２４】
また本発明は、前記指示手段は、通話の開始を指示するための操作ボタンであり、操作ボタンが押下されると、通話の開始を指示することを特徴とする。
【００２５】
本発明に従えば、操作ボタンを押下することによって、通話の開始を指示するので、子機を持上げた後、子機の画面で発信元を確認してから、簡単な操作で、発信元の通信機器の種類に対応した通話動作での通話を開始することができる。
【００２６】
また本発明は、前記子機を接続可能であって、子機が接続されたときに子機への充電を行う充電手段をさらに含み、
前記指示手段は、充電手段との接続が切断されたことを検出する切断検出手段であり、充電手段との接続が切断されたことを検出すると、通話の開始を指示することを特徴とする。
【００２７】
本発明に従えば、切断検出手段が充電手段との接続が切断されたことを検出すると、通話を開始するので、子機の画面で発信元を確認してから、子機を持上げるだけで、最適な通話動作での通話を開始することができる。
【００２８】
また本発明は、前記子機は、人が手に持って通話するための手持ち通話手段、および人が手に持たないで通話するためのハンズフリー通話手段をさらに含み、
前記予め定める通話動作は、手持ち通話手段による通話を行う通話動作、およびハンズフリー通話手段による通話を行う通話動作を含むことを特徴とする。
【００２９】
本発明に従えば、通話動作として、手持ち通話手段による通話を行う通話動作の他に、ハンズフリー通話手段による通話を行う通話動作を含むので、受話器を耳にあてないで通話することもできる。
【００３０】
また本発明は、前記操作ボタンは、通話を行なうための基本モードの通話動作での通話の開始を指示する通話ボタン、通話を拒否するためのお断りモードの通話動作での通話の開始を指示するお断りボタン、および留守であるかのように見せかけるための居留守モードの通話動作での通話の開始を指示する居留守ボタンを含み、
前記子機は、通話ボタンによって指示された基本モード、お断りボタンによって指示されたお断りモード、または居留守ボタンによって指示された居留守モードの通話動作であって、かつ前記判別された発信元の通信機器の種類に対応する通話動作を行うことを特徴とする。
【００３１】
本発明に従えば、通話ボタンによって指示された基本モード、お断りボタンによって指示されたお断りモード、または居留守ボタンによって指示された居留守モードの通話動作であって、かつ発信元の通信機器の種類に対応する通話動作を行うので、１つの操作ボタンを選択して押下するだけで、発信元の通信機器の種類に対応し、かつ操作ボタンによって選択されたモードの通話動作を行うことができる。
【００３２】
また本発明は、前記子機は、人が手に持って通話するための手持ち通話手段、および人が手に持たないで通話するためのハンズフリー通話手段をさらに含み、
前記基本モードの通話動作は、手持ち通話手段による通話を行う通話動作、およびハンズフリー通話手段による通話と受信した画像情報の表示手段による表示とを行う通話動作を含むことを特徴とする。
【００３３】
本発明に従えば、基本モードの通話動作は、手持ち通話手段による通話を行う通話動作、およびハンズフリー通話手段による通話と受信した画像情報の表示手段による表示とを行う通話動作を含むので、発信元の通信機器の種類に応じて、手持ち通話手段による通話、あるいは画像表示を伴ったハンズフリー通話手段による通話が自動的に選択される。
【００３４】
また本発明は、前記子機は、音を録音するための録音手段をさらに含み、
前記お断りモードの通話動作は、通話をお断りするためのお断りメッセージの送信を行う通話動作、お断りメッセージの送信と受信した画像情報の表示手段による表示とを行う通話動作、ハンズフリー通話手段による受話と受信した画像情報の表示手段による表示とを行う通話動作、ハンズフリー通話手段による受話を行う通話動作、および通話を終了する終話を行う通話動作のうちの少なくとも１つを含むことを特徴とする。
【００３５】
本発明に従えば、お断りモードの通話動作は、お断りメッセージの送信を行う通話動作、お断りメッセージの送信と受信した画像情報の表示手段による表示とを行う通話動作、ハンズフリー通話手段による受話と受信した画像情報の表示手段による表示とを行う通話動作、ハンズフリー通話手段による受話を行う通話動作、および通話を終了する終話を行う通話動作のうちの少なくとも１つ含むので、発信元の通信機器の種類に応じて、お断りメッセージの送信、画像表示を伴ったお断りメッセージの送信、画像表示を伴ったハンズフリー通話手段による受話、ハンズフリー通話手段による受話、あるいは通話を終了する終話が自動的に選択される。
【００３６】
また本発明は、前記居留守モードの通話動作は、留守録を促すための留守録メッセージの送信と受信した音情報の録音手段による録音とを行う通話動作、留守録メッセージの送信と受信した画像情報の表示手段による表示と受信した音情報の録音手段による録音とを行う通話動作、ハンズフリー通話手段による受話と受信した画像情報の表示手段による表示とを行う通話動作、ハンズフリー通話手段による受話を行う通話動作、および通話を終了する終話を行う通話動作のうちの少なくとも１つを含むことを特徴とする。
【００３７】
本発明に従えば、居留守モードの通話動作は、留守録メッセージの送信と受信した音情報の録音手段による録音とを行う通話動作、留守録メッセージの送信と受信した画像情報の表示手段による表示と受信した音情報の録音手段による録音とを行う通話動作、ハンズフリー通話手段による受話と受信した画像情報の表示手段による表示とを行う通話動作、ハンズフリー通話手段による受話を行う通話動作、および通話を終了する終話を行う通話動作のうちの少なくとも１つを含むので、発信元の通信機器の種類に応じて、留守録を伴った留守録メッセージの送信、留守録および画像表示を伴った留守録メッセージの送信、画像表示を伴ったハンズフリー通話手段による受話、ハンズフリー通話手段による受話、あるいは通話を終了する終話が自動的に選択される。
【００３８】
また本発明は、前記識別情報は、発信元の電話番号を表す情報、発信元のドアホンのドアホン番号を表す情報、および通信機器で撮影された画像を表す情報のうちの少なくともいずれか１つの情報を含むことを特徴とする。
【００３９】
本発明に従えば、発信元を識別するための識別情報は、発信元の電話番号を表す情報、発信元のドアホンのドアホン番号を表す情報、および通信機器で撮影された画像を表す情報のうちの少なくともいずれか１つの情報を含むので、表示手段に発信元の電話番号、発信元のドアホンのドアホン番号、および発信元の通信機器が撮影した画像のうち少なくともいずれか１つを表示することができる。
【００４０】
また本発明は、前記複数の種類の通信機器は、外線の電話機、内線の電話機、外線のテレビ付き電話機、内線のテレビ付き電話機、ＴＶドアホン、音声ドアホン、ならびにセンサカメラのうちの少なくともいずれか１つを含むことを特徴とする。
【００４１】
本発明に従えば、通信機器は、外線の電話機、内線の電話機、外線のテレビ付き電話機、内線のテレビ付き電話機、ＴＶドアホン、音声ドアホン、ならびにセンサカメラのうちの少なくともいずれか１つを含むので、市場で販売されているほとんどの通信機器を接続することができる。
【００４２】
また本発明は、音情報、画像情報、または音情報および画像情報を送受信する複数の種類の通信機器と通信する通信手段と、
発信元を識別するための識別情報を表示するための表示手段と、
発信元の通信機器との通話の開始を指示する指示手段と、
通信手段が着信を検出すると、発信元の通信機器の種類を判別するとともに、通信手段によって識別情報を取得し、取得した識別情報を表示手段に表示し、さらに指示手段によって通話の開始が指示されると、予め定める通話動作のうち、判別した発信元の通信機器の種類に対応する通話動作を制御する制御手段とを含むことを特徴とする複合電話装置である。
【００４３】
本発明に従えば、通信手段によって、音情報、画像情報、または音情報および画像情報を送受信する複数の種類の通信機器と通信が行われ、表示手段によって、発信元を識別するための識別情報が表示され、指示手段によって、発信元の通信機器との通話の開始が指示され、制御手段によって、通信手段が着信を検出すると、発信元の通信機器の種類が判別されるとともに、通信手段によって識別情報が取得され、取得された識別情報が表示手段に表示され、さらに指示手段によって通話の開始が指示されると、予め定める通話動作のうち、判別された発信元の通信機器の種類に対応する通話動作が制御される。
【００４４】
このように、着信を検出すると、発信元の通信機器の種類を判別するとともに、発信元の識別情報を取得し、取得した識別情報を表示手段に表示し、さらに指示手段によって通話の開始が指示されると、予め定める通話動作のうちで、判別した発信元の通信機器の種類に対応する通話動作を行うので、発信元を確認した後、通話の開始指示によって発信元の機器に応じた最適な通話動作で、音情報、画像情報、または音情報および画像情報を送受信する通話を行うことができる。
【発明の効果】
【００４５】
本発明によれば、発信元を確認した後、通話の開始指示によって発信元の機器に応じた最適な通話動作で、音情報、画像情報、または音情報および画像情報を送受信する通話を行うことができるので、子機の画面で、訪問者あるいは電話発呼者を確認してから対応を決定することができ、相手に気づかれずに、居留守あるいは撃退することができる。さらに、子機の簡単な操作で、最適な通話動作が自動選択され、スムーズに対応することができる。
【００４６】
また本発明によれば、子機によって、発信元を確認した後、通話の開始指示によって発信元の機器に応じた最適な通話動作で、音情報、画像情報、または音情報および画像情報を送受信する通話を行うことができるので、子機の画面で、訪問者あるいは電話発呼者を確認してから対応を決定することができ、相手に気づかれずに、居留守あるいは撃退することができる。さらに、子機の簡単な操作で、最適な通話動作が自動選択され、スムーズに対応することができる。さらにまた、子機が、発信元の通信機器の種類を判別および発信元の識別情報を取得するので、親機の負荷を軽減することができる。
【００４７】
また本発明によれば、子機を持上げた後、子機の画面で発信元を確認してから、簡単な操作で、発信元の通信機器の種類に対応した通話動作での通話を開始することができるので、通話を開始する前に発信元の確認を行い、簡単な操作で最適な通話動作で通話を開始することができる。
【００４８】
また本発明によれば、子機の画面で発信元を確認してから、子機を持上げるだけで、最適な通話動作での通話を開始することができるので、利用者は、操作ボタンを操作する必要がなく、簡単に通話を開始することができる。
【００４９】
また本発明によれば、受話器を耳にあてないで通話することもできるので、子機を手に持たないで通話、さらに子機の画面を見ながら通話することができる。
【００５０】
また本発明によれば、発信元の通信機器の種類に対応し、かつ操作ボタンによって選択されたモードの通話動作を行うことができるので、利用者は、簡単な操作で、発信元の通信機器の種類に対応した通話動作で、通常の通話、お断りの通話、あるいは居留守の通話を行うことができる。
【００５１】
また本発明によれば、発信元の通信機器の種類に応じて、手持ち通話手段による通話、あるいは画像表示を伴ったハンズフリー通話手段による通話が自動的に選択されるので、利用者は、通話動作を選択しなくても、発信元の通信機器の種類に応じて、受話器による通話、あるいは画像を見ながらのハンズフリーによる通話を行うことができる。
【００５２】
また本発明によれば、発信元の通信機器の種類に応じて、お断りメッセージの送信、画像表示を伴ったお断りメッセージの送信、画像表示を伴ったハンズフリー通話手段による受話、ハンズフリー通話手段による受話、あるいは通話を終了する終話が自動的に選択されるので、利用者は、通話動作を選択しなくても、発信元の通信機器の種類に応じて、お断りメッセージ送信、画像を見ながらお断りメッセージの送信、画像を見ながらハンズフリーで通話、ハンズフリーで通話、あるいは通話の終了を行うことができる。
【００５３】
また本発明によれば、発信元の通信機器の種類に応じて、留守録を伴った留守録メッセージの送信、留守録および画像表示を伴った留守録メッセージの送信、画像表示を伴ったハンズフリー通話手段による受話、ハンズフリー通話手段による受話、あるいは通話を終了する終話が自動的に選択されるので、利用者は、発信元の通信機器の種類に応じて、留守録を伴う留守録メッセージの送信、画像を見ながら留守録を伴う留守録メッセージの送信、画像を見ながらハンズフリーで通話、ハンズフリーで通話、あるいは通話の終了を行うことができる。
【００５４】
また本発明によれば、表示手段に発信元の電話番号、発信元のドアホンのドアホン番号、および発信元の通信機器が撮影した画像のうち少なくともいずれか１つを表示することができるので、利用者は、画面に表示された情報から発信元あるいは訪問者が不審であるか否かを容易に判断することができる。
【００５５】
また本発明によれば、市場で販売されているほとんどの通信機器を接続することができるので、利用者は、目的に応じた通信機器を接続することができる。
【００５６】
また本発明によれば、発信元を確認した後、通話の開始指示によって発信元の機器に応じた最適な通話動作で、音情報、画像情報、または音情報および画像情報を送受信する通話を行うことができるので、訪問者あるいは電話発呼者を確認してから対応を決定することができ、相手に気づかれずに、居留守あるいは撃退することができる。さらに、１回の操作で、最適な通話動作が自動選択され、スムーズに対応することができる。
【発明を実施するための最良の形態】
【００５７】
図１は、本発明の実施の一形態である複合電話機１の概略の構成を示す。複合電話装置である複合電話機１は、通信機器、たとえば電話回線などの通信回線もしくはインターネットなどのネットワークを介して接続される電話機、または専用の回線で接続されるＴＶ（Television）ドアホン、音声ドアホン、もしくはセンサカメラなど、音情報、画像情報、または音情報および画像情報を送受信する通信機器を接続することができる複合型の電話装置である。電話機は、外線に接続される電話機、内線に接続される電話機、外線に接続されるテレビ付き電話機、および内線に接続されるテレビ付き電話機を含む。
【００５８】
複合電話機１は、親制御部１１、親記憶部１２、親無線回路部１３、通話回路部１４、ドアホン接続部１５、およびアンテナ１６を含む親機１０と、子制御部２１、子記憶部２２、子無線回路部２３、表示部２４、受話器２５、ハンズフリー部２６、操作部２７、およびアンテナ２８を含む子機２０とを含む。図１に示した子機２０は１台であるが、複数台の子機があってもよい。
【００５９】
親制御部１１は、たとえばＣＰＵ（Central Processing Unit）によって構成され、親記憶部１２に記憶されたプログラムを実行することによって、親無線回路部１３、通話回路部１４、およびドアホン制御部１５を制御する。親記憶部１２は、たとえば半導体メモリで構成される記憶装置であり、親制御部１１で実行されるプログラム、通信機器および子機２０と送受信される情報、および制御を行うために必要な情報を記憶する。
【００６０】
親無線回路部１３は、アンテナ１６に接続され、アンテナ１６を介して子機２０およびセンサカメラ５０との無線による通信を行うための回路である。親無線回路部１３は、子機２０あるいはセンサカメラ５０から受信した情報を親制御部１１に送り、親制御部１１から受け取った情報を子機２０あるいはセンサカメラ５０に送信する。さらに、親無線回路部１３は、センサカメラ５０からの着信たとえば訪問者などの検出通知を検出すると、発信元を識別するための識別情報、たとえばセンサカメラ５０のカメラ番号およびテレビカメラによって撮影された画像などの情報を取得して、親制御部１１に送る。図１に示したセンサカメラ５０は１台であるが、複数台のセンサカメラが接続されてもよい。
【００６１】
通話回路部１４は、回線３０に接続され、回線３０に接続された通信機器と通信を行う回路である。通話回路部１４は、通信機器から受信した情報を親制御部１１に送り、親制御部１１から受け取った情報を通信機器に送信する。さらに通話回路部１４は、着信を検出すると、回線３０を介して、発信元を識別するための識別情報、たとえば通信機器の電話番号およびテレビカメラがあればテレビカメラによって撮影された画像などの情報を取得して、親制御部１１に送る。
【００６２】
ドアホン接続部１５は、ＴＶドアホン４０あるいは音声ドアホン４１などのドアホンを接続するためのインタフェース回路であり、ＴＶドアホン４０あるいは音声ドアホン４１からの情報を受信して、親制御部１１に送り、親制御部１１から受け取った情報をＴＶドアホン４０あるいは音声ドアホン４１に送信する。さらに、ドアホン接続部１５は、ＴＶドアホン４０あるいは音声ドアホン４１からの着信たとえば通話要求を検出すると、発信元を識別するための識別情報、たとえばドアホン番号およびテレビカメラがあればテレビカメラによって撮影された画像などの情報を取得して、親制御部１１に送る。図１に示したＴＶドアホン４０および音声ドアホン４１はそれぞれ１台であるが、いずれか１つのみでもよいし、複数台のＴＶドアホン４０あるいは複数台の音声ドアホン４１を接続してもよい。
【００６３】
子制御部２１は、たとえばＣＰＵによって構成され、子記憶部２２に記憶されたプログラムを実行することによって、子無線回路部２３、表示部２４、受話器２５、ハンズフリー部２６、および操作部２７を制御する。子記憶部２２は、たとえば半導体メモリで構成される記憶装置であり、子制御部２１で実行されるプログラム、親機１０と送受信される情報、および制御を行うために必要な情報を記憶する。
【００６４】
子無線回路部２３は、アンテナ２８に接続され、アンテナ２８を介して親機１０との無線による通信を行うための回路である。子無線回路部２３は、親機１０から受信した情報を子制御部２１に送り、子制御部２１から受け取った情報を親機１０に送信する。
【００６５】
表示部２４は、たとえば液晶ディスプレイなどで構成されるモニタなどの表示装置であり、子制御部２１から指示された情報を表示する。受話器２５は、図示しないスピーカおよび図示しないマイクロフォンを含む受話器であり、人が手で持って通話するためのものである。子機２０そのものが、受話器の形態であってもよい。受話器２５から入力された音情報は、子制御部２１を介して子無線回路部２３に送られ、子無線回路部２３からの音情報は、子制御部２１を介して受話器２５に送られ、音として出力される。
【００６６】
ハンズフリー部２６は、図示しないスピーカおよび図示しないマイクロフォンを含む通話装置であり、人が手に持たないで通話するためのものである。ハンズフリー部２６から入力された音情報は、子制御部２１を介して子無線回路部２３に送られ、子無線回路部２３からの音情報は、子制御部２１を介してハンズフリー部２６に送られ、音として出力される。
【００６７】
操作部２７は、利用者が子機２０を操作するための操作ボタンを含み、たとえば通話を行なうための基本モードの通話動作での通話の開始を指示する通話ボタン、通話を拒否するためのお断りモードの通話動作での通話の開始を指示するお断りボタン、および留守であるかのように見せかけるための居留守モードの通話動作での通話の開始を指示する居留守ボタンを含む。図１には、通話ボタン２７ａ、お断りボタン２７ｂ、および居留守ボタン２７ｃの３つの操作ボタンを示したが、基本モードだけの場合は通話ボタン２７ａだけでもよいし、さらに他のモードがあればそのモードに対応した操作ボタンを増やしてもよい。通話動作については、後述する。
【００６８】
回線３０は、たとえば電話回線などの通信回線およびインターネットなどのネットワークを含む。ＴＶドアホン４０は、たとえば玄関などに設置されるドアホンで、訪問者を撮影するための図示しないテレビカメラを有する。ＴＶドアホン４０は、テレビカメラによって撮影した画像情報を複合電話機１のドアホン接続部１５に送信するとともに、通話のための音情報をドアホン接続部１５と送受信する。音声ドアホン４１は、たとえば玄関などに設置される音声だけのドアホンであり、通話のための音情報を複合電話機１のドアホン接続部１５と送受信する。
【００６９】
センサカメラ５０は、たとえば玄関などに設置され、訪問者などを撮影するテレビカメラであり、センサカメラ５０に訪問者が近づいたことを検出すると、訪問者を検出したことを知らせる検出通知を複合電話機１に無線で送信し、撮影した画像を複合電話機１に送信する。さらに通話が可能であれば、通話のための音情報を複合電話機１の親無線回路部１３と送受信する。
【００７０】
第１の通信手段は、たとえば親無線回路部１３、通話回路部１４、およびドアホン接続部１５であり、第２の通信手段は、たとえば親無線回路部１３であり、第３の通信手段は、たとえば子無線回路部２３であり、表示手段は、たとえば表示部２４であり、指示手段は、たとえば操作部２７であり、録音手段は、たとえば子記憶部２２であり、手持ち通話手段は、たとえば受話器２５であり、ハンズフリー通話手段は、たとえばハンズフリー部２６であり、親制御手段は、たとえば親制御部１１であり、子制御手段は、たとえば子制御部２１である。
【００７１】
図２は、電話装置と通信機器との接続構成の例を示す。図２（ａ）は、従来の技術による電話装置と通信機器との接続構成の一例を示す。電話装置は、電話親機９０および電話子機９１を含む。電話親機９０は、電話回線３１に接続され、電話回線３１に接続されている通信機器と音情報を送受信して通話を行い、通信機器にテレビカメラが搭載されていれば画像情報も送受信する。
【００７２】
ドアホン親機４２は、たとえばＴＶドアホン４０の親機であり、宅内のダイニングあるいはキッチンなどに設置され、ドアホン親機４２に接続されたＴＶドアホン４０と音情報を送受信して通話を行うとともに、ＴＶドアホン４０のテレビカメラによって撮影された画像情報を受信して、モニタ９１ａに表示する。
【００７３】
電話子機９１は、たとえばコードレス電話機であり、たとえば液晶ディスプレイなどで構成されるモニタ９１ａを含み、受信した画像情報をモニタ９１ａに表示する。電話子機９１は、さらに電話ボタン９１ｂおよびドアホンボタン９１ｃを含む。電話ボタン９１ｂは、電話親機９０との通信を選択するための操作ボタンであり、電話ボタン９１ｂを押下することによって、電話親機９０あるいは電話親機９０を介して電話回線３１に接続された通信機器と情報の送受信を行うことができる。ドアホンボタン９１ｃは、ドアホン親機４２との通信を選択するための操作ボタンであり、ドアホンボタン９１ｃを押下することによって、ドアホン親機４２を介してＴＶドアホン４０と情報の送受信を行うことができる。
【００７４】
利用者は、着信があったとき、たとえば着信を示す着信音が鳴動したとき、発信元に対応する操作ボタン、つまり発信元が通信回線３１に接続された通信機器あるいは電話親機９０であれば、電話ボタン９１ｂを操作することによって、発信元と音情報および画像情報を含む視聴情報を送受信して通話することができる。あるいは発信元がＴＶドアホン４０であれば、ドアホンボタン９１ｃを操作することによって、ＴＶドアホン４０と視聴情報を送受信して通話することができる。
【００７５】
図２（ｂ）は、図１に示した複合電話機１と通信機器との接続構成の一例を示す。複合電話機１は、図２（ａ）に示した電話親機９０の機能とドアホン親機４２の機能とを含む親機１０および子機２０ａを含む。親機１０は、電話回線３１に接続されている通信機器と、および親機１０に接続されるＴＶドアホン４０もしくは音声ドアホン４１と、音情報を送受信して通話を行い、画像情報があれば画像情報も送受信する。
【００７６】
子機２０ａは、たとえばコードレス電話機であり、無線で、親機１０もしくは親機１０を介して電話回線３１に接続されている通信機器と、または親機１０を介して親機１０に接続されるＴＶドアホン４０もしくは音声ドアホン４１と、音情報を送受信して通話を行い、画像情報があれば画像情報も送受信する。
【００７７】
子機２０ａは、表示部２４および通話ボタン２７ａを含む。図１に示した子機２０では、３つの操作ボタンを有していたが、子機２０ａは、１つの操作ボタンつまり通話ボタン２７ａのみである。通話ボタン２７ａは、親機１０から着信の通知があったときに、通話を開始するための操作ボタンである。表示部２４は、子機２０ａが親機１０から受信した画像情報を表示する。
【００７８】
利用者は、着信があったときに、通話ボタン２７ａを操作するだけで、発信元の通信機器の種類に対応した通話動作での通話を開始することができる。たとえば発信元が電話回線３１に接続された通信機器たとえば外線の電話機であれば、受話器２５を耳にあてて話しをする通話動作での通話を開始する。発信元がＴＶドアホン４０であると、親機１０を介してＴＶドアホン４０から受信した画像を、子機２０ａの表示部２４に表示するとともに、その表示を見ながら通話することができるハンズフリーによる通話動作での通話を開始する。さらに、発信元が音声ドアホン４１であると、受話器２５を耳にあてて話しをする通話動作での通話を開始する。
【００７９】
図２（ｃ）は、図１に示した複合電話機１と通信機器との接続構成の他の例を示す。図２（ｃ）に示した接続構成は、図２（ｂ）に示した接続構成と接続されている通信機器が一部異なる。音声ドアホン４１に換えてセンサカメラ５０が親機１０に接続され、さらに親機１０は、電話回線３１の他に、インターネット３２に接続され、インターネット３２に接続された通信機器とも通信することができる。
【００８０】
利用者は、着信があったときに、通話ボタン２７ａを操作するだけで、発信元の通信機器の種類に対応した通話動作での通話を開始することができる。たとえば発信元が電話回線３１に接続された通信機器たとえば外線の電話機であれば、受話器２５を耳にあてて話しをする通話動作での通話を開始する。発信元がインターネット３２に接続された通信機器たとえば外線のテレビ付き電話機であれば、親機１０を介して外線のテレビ付き電話機から受信した画像を、子機２０ａの表示部２４に表示するとともに、その表示を見ながら通話することができるハンズフリーによる通話動作での通話を開始する。発信元がＴＶドアホン４０であると、親機１０を介してＴＶドアホン４０から受信した画像を、子機２０ａの表示部２４に表示するとともに、その表示を見ながら通話することができるハンズフリーによる通話動作での通話を開始する。さらに、発信元がセンサカメラ５０であると、親機１０を介してセンサカメラ５０から受信した画像を、子機２０ａの表示部２４に表示し、通話が可能であれば、親機１０を介して通話する通話動作での通話を開始する。
【００８１】
このように、操作ボタンたとえば通話ボタン２７ａを押下することによって、通話の開始を指示するので、子機２０ａを持上げた後、子機２０ａの画面で発信元を確認してから、簡単な操作で、発信元の通信機器の種類に対応した通話動作での通話を開始することができる。したがって、通話を開始する前に発信元の確認を行い、簡単な操作で最適な通話動作で通話を開始することができる。
【００８２】
上述した実施の形態では、着信があったときに、利用者が通話ボタン２７ａを操作することによって、子機２０ａが発信元の通信機器の種類に対応した通話動作で通話を開始したが、通話ボタン２７ａを操作する代わりに、充電器であるグレードルに置かれている子機２０ａを持上げることによって、発信元の通信機器の種類に対応した通話動作での通話を開始するようにしてもよい。具体的には、子機２０に充電器との接続が切断されたことを検出するスイッチなどの検出部を設け、検出部が充電器との接続が切断されたことを検出すると、子機２０ａは、発信元の通信機器の種類に対応した通話動作での通話を開始する。
【００８３】
このように、検出部つまり切断検出手段が充電器つまり充電手段との接続が切断されたことを検出すると、通話を開始するので、子機の画面で発信元を確認してから、子機２０ａを持上げるだけで、最適な通話動作での通話を開始することができる。したがって、利用者は、操作ボタンを操作する必要がなく、簡単に通話を開始することができる。
【００８４】
図３は、図１に示した親機１０の処理手順を示すフローチャートである。親機１０の親制御部１１が行う処理を示している。親機１０の電源が投入された後、あるいは通話が終了するとステップＳ１に移る。
【００８５】
ステップＳ１では、着信があったか否かを判定する。回線３０に接続される通信機器からの着信は、通話回路部１４が検出して親制御部１１に通知し、ＴＶドアホン４０または音声ドアホン４１からの着信たとえば通話要求は、ドアホン接続部１５が検出して親制御部１１に通知し、センサカメラ５０からの着信たとえば訪問者などの検出通知は、親無線回路部１３が検出して親制御部１１に通知する。着信があると、ステップＳ２に進み、着信がないと、ステップＳ１に戻り、着信を監視する。
【００８６】
ステップＳ２では、発信元の通信機器の種類を判別する。通信機器の種類は、たとえば親無線回路部１３、通話回路部１４、あるいはドアホン接続部１５との通信に基づいて判別される。親無線回路部１３は、センサカメラ５０からの通信であると、その旨を親制御部１１に通知する。通話回路部１４は、回線３０に接続される通信機器の種類を、たとえば通信方法の差異によって判別し、判別結果を親制御部１１に通知する。ドアホン接続部１５は、ＴＶドアホン４０であるのか音声ドアホン４１であるのかを、たとえば通信方法の差異によって判別し、判別結果を親制御部１１に通知する。親制御部１１は、通知された情報に基づいて、発信元の通信機器の種類を判別する。
【００８７】
ステップＳ３では、親無線回路部１３、通話回路部１４、あるいはドアホン接続部１５によって、発信元の識別情報を取得する。識別情報は、発信元が電話機であれば、たとえば電話番号であり、テレビ付き電話機であれば、さらに発信元で撮影された画像情報を含む。発信元がＴＶドアホン４０あるいは音声ドアホン４１であれば、たとえばドアホン番号であり、ＴＶドアホン４０であれば、さらにＴＶドアホン４０で撮影された画像情報を含む。発信元がセンサカメラ５０であれば、たとえばカメラ番号であり、センサカメラ５０で撮影された画像情報を含む。
【００８８】
ステップＳ４では、ステップＳ２で判別された通信機器の種類を表す機器情報、およびステップＳ３で取得された識別情報を、親無線回路部１３によって、無線で子機２０に送信して終了する。
【００８９】
図４は、図１に示した子機２０の処理手順を示すフローチャートである。子機２０の子制御部２１が行う処理を示している。子機２０の電源が投入された後、親機１０から識別情報および機器情報を受信すると、ステップＴ１に移る。
【００９０】
ステップＴ１では、子無線回路部２３が親機１０から受信した識別情報を表示部２４に表示する。発信元に電話機を含む場合は、電話番号に対応する名前あるいは顔写真などの情報、あるいは内線が設置されている場所を示す情報を、電話番号と対応付けて、予め子記憶部２２に記憶しておいて、発信元の電話機の電話番号に対応する名前、顔写真、あるいは内線が設置されている場所を、電話番号とともに表示してもよい。発信元がテレビ付き電話機であれば、さらに受信した画像情報を表示してもよい。発信元がドアホンであればドアホン番号を表示し、発信元がＴＶドアホン４０であれば、さらに受信した画像情報を表示する。発信元がセンサカメラ５０であれば、受信した画像情報を表示し、カメラ番号があればカメラ番号を表示してもよい。
【００９１】
ステップＴ２では、利用者が通話ボタン２７ａを押下したか否かを判定する。通話ボタン２７ａが押下されたとき、ステップＴ７に進み、押下されていないとき、ステップＴ３に進む。ステップＴ３では、利用者がお断りボタン２７ｂを押下したか否かを判定する。お断りボタン２７ｂが押下されたとき、ステップＴ６に進み、押下されていないとき、ステップＴ４に進む。ステップＴ４では、利用者が居留守ボタン２７ｃを押下したか否かを判定する。居留守ボタン２７ｃが押下されたとき、ステップＴ５に進み、押下されていないとき、ステップＴ２に戻り、通話ボタン２７ａ、お断りボタン２７ｂ、あるいは居留守ボタン２７ｃが押下されることを監視する。
【００９２】
ステップＴ５では、子無線回路部２３が親機１０から受信した機器情報が示す通信機器の種類に対応する居留守モードの通話動作を行って終了する。発信元の通信機器が外線の電話機あるいは内線の電話機であるとき、子無線回路部２３による、留守録を促すための留守録メッセージの送信と、受信した音情報を子記憶部２２に記憶することによる録音とを行う通話動作で動作する。発信元の通信機器が外線のテレビ付き電話機あるいは内線のテレビ付き電話機であるとき、子無線回路部２３による留守録メッセージの送信と、受信した画像情報の表示部２４への表示と、受信した音情報を子記憶部２２に記憶することによる録音とを行う通話動作で動作する。発信元の通信機器がＴＶドアホン４０であるとき、ハンズフリー部２６による受話と、受信した画像情報の表示部２４への表示とを行う通話動作で動作する。発信元の通信機器が音声ドアホン４１であるとき、ハンズフリー部２６による受話を行う通話動作で動作する。さらに、発信元の通信機器がセンサカメラ５０であるとき、通話を終了する終話を行う通話動作で動作する。
【００９３】
ステップＴ６では、子無線回路部２３が親機１０から受信した機器情報が示す通信機器の種類に対応するお断りモードの通話動作を行って終了する。発信元の通信機器が外線の電話機あるいは内線の電話機であるとき、子無線回路部２３による、通話をお断りするためのお断りメッセージの送信を行う通話動作で動作する。発信元の通信機器が外線のテレビ付き電話機あるいは内線のテレビ付き電話機であるとき、子無線回路部２３によるお断りメッセージの送信と、受信した画像情報の表示部２４への表示とを行う通話動作で動作する。発信元の通信機器がＴＶドアホン４０であるとき、ハンズフリー部２６による受話と、受信した画像情報の表示部２４への表示とを行う通話動作で動作する。発信元の通信機器が音声ドアホン４１であるとき、ハンズフリー部２６による受話を行う通話動作で動作する。さらに、発信元の通信機器がセンサカメラ５０であるとき、通話を終了する終話を行う通話動作で動作する。
【００９４】
ステップＴ７では、子無線回路部２３が親機１０から受信した機器情報が示す通信機器の種類に対応する基本モードの通話動作を行って終了する。発信元の通信機器が外線の電話機あるいは内線の電話機であるとき、受話器２５による通話を行う通話動作で動作する。発信元の通信機器が外線のテレビ付き電話機あるいは内線のテレビ付き電話機であるとき、ハンズフリー部２６による通話と、受信した画像情報の表示部２４への表示とを行う通話動作で動作する。発信元の通信機器がＴＶドアホン４０であるとき、ハンズフリー部２６による通話と、受信した画像情報の表示部２４への表示とを行う通話動作で動作する。発信元の通信機器が音声ドアホン４１であるとき、受話器２５による通話を行う通話動作で動作する。さらに、発信元の通信機器がセンサカメラ５０であるとき、ハンズフリー部２６による通話と、受信した画像情報の表示部２４への表示とを行う通話動作で動作する。
【００９５】
子機２０で通話が開始されると、親機１０は、発信元の通信機器から受信した視聴情報を子機２０に送信するとともに、子機２０から受信したお断りメッセージおよび留守録メッセージを含む視聴情報を、発信元の通信機器に送信する。
【００９６】
上述した実施の形態では、お断りメッセージおよび留守録メッセージを子機２０から親機１０を経由して発信元の通信機器に送信したが、子機２０で押下された操作ボタンに応じて、親機１０からお断りメッセージおよび留守録メッセージを発信元の通信機器に送信してもよい。
【００９７】
具体的には、子機２０は、お断りボタン２７ｂが押下されると、お断りメッセージを送信しないで、お断りボタン２７ｂが押下されたことを表すお断りボタン押下情報を生成する。あるいは居留守ボタン２７ｃが押下されると、留守録メッセージを送信しないで、居留守ボタン２７ｃが押下されたことを表す居留守ボタン押下情報を生成する。子機２０は、生成したお断りボタン押下情報あるいは居留守ボタン押下情報を、親機１０から受信した識別情報とともに親機１０に送信する。
【００９８】
親機１０は、お断りボタン押下情報あるいは居留守ボタン押下情報を受信すると、同時に受信した識別情報によって、発信元の通信機器の種類を判別する。発信元の通信機器が外線の電話機、内線の電話機、外線のテレビ付き電話機、あるいは内線のテレビ付き電話機であるとき、子機２０からお断りボタン押下情報を受信している場合はお断りメッセージを、あるいは子機２０から居留守ボタン押下情報を受信している場合は留守録メッセージを、通話回路部１４によって発信元の通信機器に送信する。
【００９９】
このように、発信元の通信機器へのメッセージを親機１０から送信するので、子機２０は、メッセージを記憶しておく必要がない。したがって、子機２０の子記憶部２２の容量を少なくすることができる。
【０１００】
図５は、図１に示した子機２０の動作の状態遷移を模式的に示す。発信元の通信機器が最上段に示され、左から順に、外線の電話機である「外線（音声）」、内線の電話機である「内線（音声）」、外線のテレビ付き電話機である「外線（ＴＶ）」、内線のテレビ付き電話機である「内線（ＴＶ）」、ＴＶドアホン４０である「ＴＶドアホン」、音声ドアホン４１である「音声ドアホン」、およびセンサカメラ５０である「センサカメラ」と表示され、それぞれが発信元であるときの子機２０の動作を個々の下側に示している。
【０１０１】
表示部２４へ識別情報が表示された状態では、発信元が外線の電話機の場合、「番号（ＮＤ（Number Display）時）」すなわち電話番号表示機能があるとき発信元の電話番号が表示され、「名前（登録時）」すなわち発信元の電話番号に対応する名前が登録されているとき名前が表示され、さらに「顔（登録時）」すなわち発信元の電話番号に対応する顔写真が登録されているとき顔写真が表示される。発信元が内線の電話機の場合、「内線番号」すなわち発信元の内線番号が表示され、さらに「部屋（登録時）」すなわち発信元の内線電話機が設置されている部屋を識別するための情報が登録されているとき、その情報が表示される。
【０１０２】
発信元が外線のテレビ付き電話機の場合、「番号」すなわち発信元の電話番号が表示され、「名前（登録時）」すなわち発信元の電話番号に対応する名前が登録されているとき名前が表示され、さらに「相手側映像」すなわち受信した画像が表示される。発信元が内線のテレビ付き電話機の場合、「内線番号」すなわち発信元の内線番号が表示され、「部屋（登録時）」すなわち発信元の内線電話機が設置されている部屋を識別するための情報が登録されているとき、その情報が表示され、さらに「相手側映像」すなわち受信した画像が表示される。発信元がＴＶドアホン４０の場合、「ドアホン番号」すなわち発信元のＴＶドアホン４０のドアホン番号が表示され、さらに「訪問者映像」すなわち受信した画像が表示される。発信元が音声ドアホン４１の場合、「ドアホン番号」すなわち発信元の音声ドアホン４１のドアホン番号が表示される。発信元がセンサカメラ５０の場合、「撮影映像」すなわち受信した画像が表示され、カメラ番号があればカメラ番号を表示してもよい。
【０１０３】
発信元の電話番号に対応する名前、発信元の電話番号に対応する顔写真、および発信元の内線電話機が設置されている部屋を識別するための情報は、子記憶部２２に予め登録されている情報である。
【０１０４】
子機２０が持上げられたとき、「表示継続」すなわち表示部２４に表示されている情報はそのまま継続して表示される。
【０１０５】
操作ボタンが押下されると、操作ボタンで指示されたモードの通話動作であって、かつ発信元の通信機器の種類に対応した通話動作を行う。具体的には、通話ボタン２７ａが押下されたときは、動作１の状態へ遷移して、発信元の通信機器に対応した基本モードの通話動作での通話を行い、お断りボタン２７ｂが押下されたときは、動作２の状態へ遷移して、発信元の通信機器に対応したお断りモードの通話動作での通話を行い、居留守ボタン２７ｃが押下されたときは、動作３の状態へ遷移して、発信元の通信機器に対応した居留守モードの通話動作を行う。
【０１０６】
動作１の状態、つまり通話ボタン２７ａが押下されて遷移する状態では、発信元が外線の電話機あるいは内線電話機であるとき、「通常通話（音声）」すなわち受話器２５による通話を行う通話動作で動作する。発信元が外線のテレビ付き電話機あるいは内線のテレビ付き電話機であるとき、「ハンズフリー通話」すなわちハンズフリー部２６による通話と、「相手側映像」すなわち受信した画像情報の表示部２４への表示とを行う通話動作で動作する。
【０１０７】
さらに、発信元がＴＶドアホン４０であるとき、「ハンズフリー通話」すなわちハンズフリー部２６による通話と、「訪問者映像」すなわち受信した画像情報の表示部２４への表示とを行う通話動作で動作する。発信元が音声ドアホン４１であるとき、「通常通話（音声）」すなわち受話器２５による通話を行う通話動作で動作する。発信元がセンサカメラ５０であるとき、「ハンズフリー通話」すなわちハンズフリー部２６による通話と、「撮影映像」すなわち受信した画像情報の表示部２４への表示とを行う通話動作で動作する。
【０１０８】
動作２の状態、つまりお断りボタン２７ｂが押下されて遷移する状態では、発信元が外線の電話機あるいは内線電話機であるとき、「お断りメッセージ」すなわち子無線回路部２３によるお断りメッセージの送信を行う通話動作で動作する。発信元が外線のテレビ付き電話機あるいは内線のテレビ付き電話機であるとき、「お断りメッセージ」すなわち子無線回路部２３によるお断りメッセージの送信と、「相手側映像」すなわち受信した画像情報の表示部２４への表示とを行う通話動作で動作する。
【０１０９】
さらに、発信元がＴＶドアホン４０であるとき、「ハンズフリー受話」すなわちハンズフリー部２６による受話と、「訪問者映像」すなわち受信した画像情報の表示部２４への表示とを行う通話動作で動作する。発信元が音声ドアホン４１であるとき、「ハンズフリー受話」すなわちハンズフリー部２６による受話を行う通話動作で動作する。発信元がセンサカメラ５０であるとき、「終話」すなわち通話を終了する終話を行う通話動作で動作する。
【０１１０】
動作３の状態、つまり居留守ボタン２７ｃが押下されて遷移する状態では、発信元が外線の電話機あるいは内線電話機であるとき、「留守録メッセージ」すなわち子無線回路部２３による留守録メッセージの送信と、「相手側音声録音」すなわち受信した音情報を子記憶部２２に記憶することによる録音とを行う通話動作で動作する。発信元が外線のテレビ付き電話機あるいは内線のテレビ付き電話機であるとき、「留守録メッセージ」すなわち子無線回路部２３による留守録メッセージの送信と、「相手側映像」すなわち受信した画像情報の表示部２４への表示と、「音声録音」すなわち受信した音情報を子記憶部２２に記憶することによる録音とを行う通話動作で動作する。
【０１１１】
さらに、発信元がＴＶドアホン４０であるとき、「ハンズフリー受話」すなわちハンズフリー部２６による受話と、「訪問者映像」すなわち受信した画像情報の表示部２４への表示とを行う通話動作で動作する。発信元が音声ドアホン４１であるとき、「ハンズフリー受話」すなわちハンズフリー部２６による受話を行う通話動作で動作する。発信元がセンサカメラ５０であるとき、「終話」すなわち通話を終了する終話を行う通話動作で動作する。
【０１１２】
このように、親機１０は、着信を検出すると、発信元の通信機器の種類を判別するとともに、発信元の識別情報を取得し、判別した通信機器の種類を表す機器情報および取得した識別情報を子機２０に送信し、子機２０は、受信した識別情報を表示部２４つまり表示手段に表示し、さらに操作ボタンまたは検出部つまり指示手段によって通話の開始が指示されると、予め定める通話動作のうちで、受信した機器情報が示す通信機器の種類に対応する通話動作を行うので、子機２０の表示手段によって発信元を確認した後、通話の開始指示によって発信元の機器に応じた最適な通話動作で、音情報、画像情報、または音情報および画像情報を送受信する通話を行うことができる。したがって、子機２０の画面で、訪問者あるいは電話発呼者を確認してから対応を決定することができ、相手に気づかれずに、居留守あるいは撃退することができる。さらに、子機２０の簡単な操作で、最適な通話動作が自動選択され、スムーズに対応することができる。
【０１１３】
上述した実施の形態では、発信元の通信機器の種類の判別および発信元の識別情報の取得を親制御部１１で行っているが、子制御部２１が行ってもよい。具体的には、親制御部１１は、着信を検出すると、発信元の通信機器の種類を判別するための参考情報を子機２０に送信する。参考情報は、発信元の通信機器が、親無線回路部１３が着信を検出したセンサカメラ５０であるか、通話回路部１４が着信を検出した回線３０に接続された通信機器であるか、ドアホン接続部１５が検出したＴＶドアホン４０あるいは音声ドアホン４１であるかを示す情報である。
【０１１４】
子制御部２１は、親機１０から受信した参考情報を基に、子無線回路部２３によって、親機１１を介して発信元の通信機器と通信することによって、発信元の通信機器の種類を判別する。さらに子無線回路部２３によって、親機１１を介して発信元の通信機器と通信して、発信元の識別情報を取得し、取得した識別情報を表示部２４に表示する。さらに、操作ボタンが押下されたことによって、あるいは子機２０が充電器から持ち上げられたことによって、通話の開始が指示されると、判別した発信元の通信機器の種類に対応した通話動作を行う。
【０１１５】
このように、親機１０は、着信を検出すると、通信機器の種類を判別するための参考情報を子機２０に送信し、子機２０は、親機１０から参考情報を受信すると、受信した参考情報を基に発信元の通信機器の種類を判別するとともに、発信元の識別情報を取得し、取得した識別情報を表示部２４つまり表示手段に表示し、さらに操作ボタンまたは検出部つまり指示手段によって通話の開始が指示されると、予め定める通話動作のうちで、判別した発信元の通信機器の種類に対応する通話動作を行うので、子機２０によって、発信元を確認した後、通話の開始指示によって発信元の機器に応じた最適な通話動作で、音情報、画像情報、または音情報および画像情報を送受信する通話を行うことができる。したがって、子機２０の画面で、訪問者あるいは電話発呼者を確認してから対応を決定することができ、相手に気づかれずに、居留守あるいは撃退することができる。さらに、子機２０の簡単な操作で、最適な通話動作が自動選択され、スムーズに対応することができる。さらにまた、子機２０が、発信元の通信機器の種類を判別および発信元の識別情報を取得するので、親機１０の負荷を軽減することができる。
【０１１６】
さらに、上述した実施のいずれの形態でも、通話動作として、受話器２６つまり手持ち通話手段による通話を行う通話動作の他に、ハンズフリー部２６つまりハンズフリー通話手段による通話を行う通話動作を含むので、受話器を耳にあてないで通話することもできる。したがって、子機を手に持たないで通話、さらに子機の表示部２４つまり表示手段に表示された画面を見ながら通話することができる。
【０１１７】
図６は、本発明の実施の他の形態である複合電話機２の概略の構成を示す。図１に示した複合電話機１は、親機１０と子機２０とが分離した分離型であるが、子機２０の機能を親機１０に吸収して一体型としてもよい。図６に示した複合電話機２は、一体型の複合電話装置である。
【０１１８】
複合電話機２は、制御部６１、記憶部６２、無線回路部６３、通話回路部１４、ドアホン接続部１５、アンテナ１６、表示部２４、受話器２５、ハンズフリー部２６、および操作部２７を含む。図１と同じ参照符を付した構成要素は、図１に示した構成要素と同じものであり、説明は省略する。
【０１１９】
制御部６１は、たとえばＣＰＵによって構成され、記憶部６２に記憶されたプログラムを実行することによって、無線回路部６３、通話回路部１４、ドアホン制御部１５、表示部２４、受話器２５、ハンズフリー部２６、および操作部２７を制御する。記憶部６２は、たとえば半導体メモリで構成される記憶装置であり、制御部６１で実行されるプログラム、通信機器と送受信される情報、および制御を行うために必要な情報を記憶する。
【０１２０】
無線回路部６３は、アンテナ１６に接続され、アンテナ１６を介してセンサカメラ５０との無線による通信を行うための回路である。無線回路部６３は、センサカメラ５０から受信した情報を制御部６１に送り、制御部６１から受け取った情報をセンサカメラ５０に送信する。さらに、無線回路部６３は、センサカメラ５０からの着信たとえば訪問者などの検出通知を検出すると、発信元を識別するための識別情報、たとえばセンサカメラ５０のカメラ番号およびテレビカメラによって撮影された画像などの情報を取得して、制御部６１に送る。
【０１２１】
回線３０、ＴＶドアホン４０、音声ドアホン４１、およびセンサカメラ５０も図１に示したものと同じであり、説明は省略する。
【０１２２】
通信手段は、たとえば無線回路部６３、通話回路部１４、およびドアホン制御部１５であり、表示手段は、たとえば表示部２４であり、指示手段は、たとえば操作部２７であり、制御手段は、たとえば制御部６１である。
【０１２３】
図７は、図６に示した複合電話機２の処理手順を示すフローチャートである。複合電話機２の制御部６１が行う処理を示している。複合電話機２の電源が投入された後、あるいは通話が終了するとステップＵ１に移る。
【０１２４】
ステップＵ１では、着信があったか否かを判定する。回線３０に接続される通信機器からの着信は、通話回路部１４が検出して制御部６１に通知し、ＴＶドアホン４０または音声ドアホン４１からの着信つまり通話要求は、ドアホン接続部１５が検出して制御部６１に通知し、センサカメラ５０からの着信つまり訪問者などの検出通知は、無線回路部６３が検出して制御部６１に通知する。着信があると、ステップＵ２に進み、着信がないと、ステップＵ１に戻り、着信を監視する。
【０１２５】
ステップＵ２では、発信元の通信機器の種類を判別する。通信機器の種類は、たとえば無線回路部６３、通話回路部１４、あるいはドアホン接続部１５との通信に基づいて判別される。無線回路部６３は、センサカメラ５０からの通信であると、その旨を制御部６１に通知する。通話回路部１４は、回線３０に接続される通信機器の種類を、たとえば通信方法の差異によって判別し、判別結果を制御部６１に通知する。ドアホン接続部１５は、ＴＶドアホン４０であるのか音声ドアホン４１であるのかを、たとえば通信方法の差異によって判別し、判別結果を制御部６１に通知する。制御部６１は、通知された情報に基づいて、発信元の通信機器の種類を判別する。
【０１２６】
ステップＵ３では、無線回路部６３、通話回路部１４、あるいはドアホン接続部１５によって、発信元の識別情報を取得する。識別情報は、発信元が電話機であれば、たとえば電話番号であり、テレビ付き電話機であれば、さらに発信元で撮影された画像情報を含む。発信元がＴＶドアホン４０あるいは音声ドアホン４１であれば、たとえばドアホン番号であり、ＴＶドアホン４０であれば、さらにＴＶドアホン４０で撮影された画像情報を含む。発信元がセンサカメラ５０であれば、たとえばカメラ番号であり、センサカメラ５０で撮影された画像情報を含む。
【０１２７】
ステップＵ４では、ステップＵ３で取得した識別情報を表示部２４に表示する。発信元に電話機を含む場合は、電話番号に対応する名前あるいは顔写真などの情報、あるいは内線が設置されている場所を示す情報を、電話番号と対応付けて、予め記憶部６２に記憶しておいて、発信元の電話機の電話番号に対応する名前、顔写真、あるいは内線が設置されている場所を、電話番号とともに表示してもよい。発信元がテレビ付き電話機であれば、さらに受信した画像情報を表示してもよい。発信元がドアホンであればドアホン番号を表示し、発信元がＴＶドアホン４０であれば、さらに受信した画像情報を表示する。発信元がセンサカメラ５０であれば、受信した画像情報を表示し、カメラ番号があればカメラ番号を表示してもよい。
【０１２８】
ステップＵ５では、利用者が通話ボタン２７ａを押下したか否かを判定する。通話ボタン２７ａが押下されたとき、ステップＵ１０に進み、押下されていないとき、ステップＵ６に進む。ステップＵ６では、利用者がお断りボタン２７ｂを押下したか否かを判定する。お断りボタン２７ｂが押下されたとき、ステップＵ９に進み、押下されていないとき、ステップＵ７に進む。ステップＵ７では、利用者が居留守ボタン２７ｃを押下したか否かを判定する。居留守ボタン２７ｃが押下されたとき、ステップＵ８に進み、押下されていないとき、ステップＵ５に戻り、通話ボタン２７ａ、お断りボタン２７ｂ、あるいは居留守ボタン２７ｃが押下されることを監視する。
【０１２９】
ステップＵ８では、ステップＵ２で判別した発信元の通信機器の種類に対応する居留守モードの通話動作を行って終了する。発信元の通信機器が外線の電話機あるいは内線の電話機であるとき、無線回路部６３による留守録メッセージの送信と、受信した音情報を記憶部６２に記憶することによる録音とを行う通話動作で動作する。発信元の通信機器が外線のテレビ付き電話機あるいは内線のテレビ付き電話機であるとき、無線回路部６３による留守録メッセージの送信と、受信した画像情報の表示部２４への表示と、受信した音情報を記憶部６２に記憶することによる録音とを行う通話動作で動作する。発信元の通信機器がＴＶドアホン４０であるとき、ハンズフリー部２６による受話と、受信した画像情報の表示部２４への表示とを行う通話動作で動作する。発信元の通信機器が音声ドアホン４１であるとき、ハンズフリー部２６による受話を行う通話動作で動作する。さらに、発信元の通信機器がセンサカメラ５０であるとき、通話を終了する終話を行う通話動作で動作する。
【０１３０】
ステップＵ９では、ステップＵ２で判別した発信元の通信機器の種類に対応するお断りモードの通話動作を行って終了する。発信元の通信機器が外線の電話機あるいは内線の電話機であるとき、無線回路部６３によるお断りメッセージの送信を行う通話動作で動作する。発信元の通信機器が外線のテレビ付き電話機あるいは内線のテレビ付き電話機であるとき、無線回路部６３によるお断りメッセージの送信と、受信した画像情報の表示部２４への表示とを行う通話動作で動作する。発信元の通信機器がＴＶドアホン４０であるとき、ハンズフリー部２６による受話と、受信した画像情報の表示部２４への表示とを行う通話動作で動作する。発信元の通信機器が音声ドアホン４１であるとき、ハンズフリー部２６による受話を行う通話動作で動作する。さらに、発信元の通信機器がセンサカメラ５０であるとき、通話を終了する終話を行う通話動作で動作する。
【０１３１】
ステップＵ１０では、ステップＵ２で判別した発信元の通信機器の種類に対応する基本モードの通話動作を行って終了する。発信元の通信機器が外線の電話機あるいは内線の電話機であるとき、受話器２５による通話を行う通話動作で動作する。発信元の通信機器が外線のテレビ付き電話機あるいは内線のテレビ付き電話機であるとき、ハンズフリー部２６による通話と、受信した画像情報の表示部２４への表示とを行う通話動作で動作する。発信元の通信機器がＴＶドアホン４０であるとき、ハンズフリー部２６による通話と、受信した画像情報の表示部２４への表示とを行う通話動作で動作する。発信元の通信機器が音声ドアホン４１であるとき、受話器２５による通話を行う通話動作で動作する。さらに、発信元の通信機器がセンサカメラ５０であるとき、ハンズフリー部２６による通話と、受信した画像情報の表示部２４への表示とを行う通話動作で動作する。
【０１３２】
複合電話機２の動作の状態遷移は、図５に示した状態遷移と同じであるので説明は省略する。
【０１３３】
このように、複合電話機２は、着信を検出すると、発信元の通信機器の種類を判別するとともに、発信元の識別情報を取得し、取得した識別情報を表示部２４つまり表示手段に表示し、さらに操作部２７つまり指示手段によって通話の開始が指示されると、予め定める通話動作のうちで、判別した発信元の通信機器の種類に対応する通話動作を行うので、発信元を確認した後、通話の開始指示によって発信元の機器に応じた最適な通話動作で、音情報、画像情報、または音情報および画像情報を送受信する通話を行うことができる。したがって、訪問者あるいは電話発呼者を確認してから対応を決定することができ、相手に気づかれずに、居留守あるいは撃退することができる。さらに、１回の操作で、最適な通話動作が自動選択され、スムーズに対応することができる。
【０１３４】
さらに、上述した複合電話機１および複合電話機２は、通話ボタン２７ａによって指示された基本モード、お断りボタン２７ｂによって指示されたお断りモード、または居留守ボタン２７ｃによって指示された居留守モードの通話動作であって、かつ発信元の通信機器の種類に対応する通話動作を行うので、１つの操作ボタンを選択して押下するだけで、発信元の通信機器の種類に対応し、かつ操作ボタンによって選択されたモードの通話動作を行うことができる。したがって、利用者は、簡単な操作で、発信元の通信機器の種類に対応した通話動作で、通常の通話、お断りの通話、あるいは居留守の通話を行うことができる。
【０１３５】
基本モードの通話動作は、受話器２５つまり手持ち通話手段による通話を行う通話動作、およびハンズフリー部２６つまりハンズフリー通話手段による通話と受信した画像情報の表示部２４つまり表示手段による表示とを行う通話動作を含むので、発信元の通信機器の種類に応じて、手持ち通話手段による通話、あるいは画像表示を伴ったハンズフリー通話手段による通話が自動的に選択される。したがって、利用者は、通話動作を選択しなくても、発信元の通信機器の種類に応じて、受話器による通話、あるいは画像を見ながらのハンズフリーによる通話を行うことができる。
【０１３６】
お断りモードの通話動作は、お断りメッセージの送信を行う通話動作、お断りメッセージの送信と受信した画像情報の表示部２４つまり表示手段による表示とを行う通話動作、ハンズフリー部２６つまりハンズフリー通話手段による受話と受信した画像情報の表示手段による表示とを行う通話動作、ハンズフリー通話手段による受話を行う通話動作、および通話を終了する終話を行う通話動作のうちの少なくとも１つ含むので、発信元の通信機器の種類に応じて、お断りメッセージの送信、画像表示を伴ったお断りメッセージの送信、画像表示を伴ったハンズフリー通話手段による受話、ハンズフリー通話手段による受話、あるいは通話を終了する終話が自動的に選択される。
【０１３７】
したがって、利用者は、通話動作を選択しなくても、発信元の通信機器の種類に応じて、お断りメッセージ送信、画像を見ながらお断りメッセージの送信、画像を見ながらハンズフリーで通話、ハンズフリーで通話、あるいは通話の終了を行うことができる。
【０１３８】
居留守モードの通話動作は、留守録メッセージの送信と受信した音情報の子記憶部２２あるいは記憶部６２つまり録音手段による録音とを行う通話動作、留守録メッセージの送信と受信した画像情報の表示部２４つまり表示手段による表示と受信した音情報の録音手段による録音とを行う通話動作、ハンズフリー部２６つまりハンズフリー通話手段による受話と受信した画像情報の表示手段による表示とを行う通話動作、ハンズフリー通話手段による受話を行う通話動作、および通話を終了する終話を行う通話動作のうちの少なくとも１つを含むので、発信元の通信機器の種類に応じて、留守録を伴った留守録メッセージの送信、留守録および画像表示を伴った留守録メッセージの送信、画像表示を伴ったハンズフリー通話手段による受話、ハンズフリー通話手段による受話、あるいは通話を終了する終話が自動的に選択される。
【０１３９】
したがって、利用者は、発信元の通信機器の種類に応じて、留守録を伴う留守録メッセージの送信、画像を見ながら留守録を伴う留守録メッセージの送信、画像を見ながらハンズフリーで通話、ハンズフリーで通話、あるいは通話の終了を行うことができる。
【０１４０】
さらにまた、発信元を識別するための識別情報は、発信元の電話番号を表す情報、発信元のドアホンのドアホン番号を表す情報、および通信機器で撮影された画像を表す情報のうちの少なくともいずれか１つの情報を含むので、表示部２４つまり表示手段に、発信元の電話番号、発信元のドアホンのドアホン番号、および発信元の通信機器が撮影した画像のうち少なくともいずれか１つを表示することができる。したがって、利用者は、画面に表示された情報から発信元あるいは訪問者が不審であるか否かを容易に判断することができる。
【０１４１】
さらに、通信機器は、外線の電話機、内線の電話機、外線のテレビ付き電話機、内線のテレビ付き電話機、ＴＶドアホン、音声ドアホン、ならびにセンサカメラのうちの少なくともいずれか１つを含むので、市場で販売されているほとんどの通信機器を接続することができる。したがって、利用者は、目的に応じた通信機器を接続することができる。
【図面の簡単な説明】
【０１４２】
【図１】本発明の実施の一形態である複合電話機１の概略の構成を示す。
【図２】電話装置と通信機器との接続構成の例を示す。
【図３】図１に示した親機１０の処理手順を示すフローチャートである。
【図４】図１に示した子機２０の処理手順を示すフローチャートである。
【図５】図１に示した子機２０の動作の状態遷移を模式的に示す。
【図６】本発明の実施の他の形態である複合電話機２の概略の構成を示す。
【図７】図６に示した複合電話機２の処理手順を示すフローチャートである。
【符号の説明】
【０１４３】
１，２  複合電話機
１０  親機
１１  親制御部
１２  親記憶部
１３  親無線回路部
１４  通話回路部
１５  ドアホン接続部
１６，２８  アンテナ
２０  子機
２１  子制御部
２２  子記憶部
２３  子無線回路部
２４  表示部
２５  受話器
２６  ハンズフリー部
２７  操作部
２７ａ  通話ボタン
２７ｂ  お断りボタン
２７ｃ  居留守ボタン
３０  回線
３１  電話回線
３２  インターネット
４０  ＴＶドアホン
４１  音声ドアホン
５０  センサカメラ
６１  制御部
６２  記憶部
６３  無線回路部
９０  電話親機
９１  電話子機
【図１】
2007173988.tif 000003
【図２】
2007173988.tif 000004
【図３】
2007173988.tif 000005
【図４】
2007173988.tif 000006
【図５】
2007173988.tif 000007
【図６】
2007173988.tif 000008
【図７】
2007173988.tif 000009